(57)【特許請求の範囲】
【請求項１】
本体に対し開閉可能な蓋に設けられると共に前記本体に回転可能に取り付けられる回転部と、
巻線部と当該巻線部の接線方向に延びる２つの導線からなり、前記回転部を介して前記蓋を開け放つ方向に付勢する捩り弾性部材と、を備え、
前記捩り弾性部材の巻線部は、当該巻線部の中心軸が前記回転部の回転軸と一致しないように前記回転部から所定の間隔をあけて前記本体に固定されると共に、前記捩り弾性部材の前記２つの導線のうち一方の導線が前記本体に係止され、
前記２つの導線のうち他方の導線は、前記回転部に摺動可能に係合されると共に、前記蓋を閉じた状態と開けた状態で前記回転部に設けられた係止部に係止され、前記蓋の開閉動作の途中まで前記回転部の前記係止部に対して離れる方向に摺動し、前記蓋の開閉動作の途中から前記係止部に近づく方向に摺動することを特徴とする開放装置。
【請求項２】
前記捩り弾性部材は、前記巻線部の中心軸が前記回転部の前記回転軸と平行になるように配置されていることを特徴とする請求項１に記載の開放装置。
【請求項３】
本体と、前記本体に対して開閉可能な蓋と、前記蓋を開け放つ開放装置とを備えた電子機器において、
前記開放装置は、
前記蓋に設けられると共に前記本体に回転可能に取り付けられる回転部と、
巻線部と当該巻線部の接線方向に延びる２つの導線からなり、前記蓋を開け放つ方向に付勢する捩り弾性部材と、を有し、
前記捩り弾性部材の巻線部は、当該巻線部の中心軸が前記回転部の回転軸と一致しないように前記回転部から所定の間隔をあけて前記本体に固定されると共に、前記捩り弾性部材の前記２つの導線のうち一方の導線が前記本体に係止され、
前記２つの導線のうち他方の導線は、前記回転部に摺動可能に係合されると共に、前記蓋を閉じた状態と開けた状態で前記回転部に設けられた係止部に係止され、前記蓋の開閉動作の途中まで前記回転部の前記係止部に対して離れる方向に摺動し、前記蓋の開閉動作の途中から前記係止部に近づく方向に摺動することを特徴とする電子機器。
【請求項４】
前記捩り弾性部材は、前記巻線部の中心軸が前記回転部の前記回転軸と平行になるように配置されていることを特徴とする請求項３に記載の電子機器。
【発明の詳細な説明】
【０００１】
【発明の属する技術分野】
本発明は、本体に対して開閉可能な蓋を開け放つための開放装置びその開放装置を備えた電子機器に関するものである。
【０００２】
【従来の技術】
ディスク状の情報記録媒体に記録されている情報は、例えば携帯型の電子機器である再生装置により持ち歩きながら再生して音楽やその他の情報を楽しむことができる。
例えばコンパクトディスク（ＣＤ）の再生装置は、ポータブルＣＤプレイヤ等と呼ばれており、図１５と図１６に示すように、本体（キャビネットともいう）２００と蓋２０１を有している。
【０００３】
蓋２０１は開閉装置２１０及び開放装置２２０により本体２００に対して開閉でき、この蓋２０１を本体２００から開けることにより、本体２００内にコンパクトディスク（以下、ディスクという）Ｄを着脱できるようになっている。
即ち、開閉装置２１０を構成するスライド操作部２１１を図１５に示す矢印ａ方向に操作することにより、本体２００に設けられている開口部２００ｃ内において、蓋２０１に設けられている止め部２０１ａとの係止状態を開放させ、開放装置２２０を構成する捩りコイルばね２２１の復元力でヒンジ２２２を介して蓋２０１を本体２００から図１６に示す矢印ｂ方向に開けることができる。
尚、この例では、蓋２０１の所に操作用のボタン２０３等が配置されているが、本体２００側にそのような操作ボタンを配置するタイプのものもある。
【０００４】
図１７は、上記プレイヤの内部構造を示しており、図１８は、そのＪ−Ｊ断面を示している。
本体２００の中にはディスクＤを連続回転するための駆動手段２０４及びこの駆動手段２０４に対して電力供給してディスクＤの情報を再生するための２本の電池２０５，２０５が内蔵されている。
２本の電池２０５，２０５は、ディスクＤの下部において並列配置され電気的に直列接続されてホールド板２０６で保持されている。
【０００５】
図１９は、開放装置２２０の詳細例を示す側面図である。
この開放装置２２０は、捩りコイルばね２２１とヒンジ２２２で構成されている。
捩りコイルばね２２１は、ばね部２２１ａとこのばね部２２１ａの接線両方向に延びる２つの端部２２１ｂ，２２１ｃで構成されている。ヒンジ２２２は、蓋に固定される固定部２２２ａと本体２００に回転可能に取り付けられる取付部２２２ｂで構成されている。
捩りコイルばね２２１は、ばね部２２１ａの捩り軸Ｔがヒンジ２２２の取付部２２２ｂの回転軸Ｒと一致するようにして、ばね部２２１ａが本体２００の一端の内部に固定され、一端部２２１ｂが蓋２０１の内面に係止され、他端部２２１ｃが本体２００の内部に係止されている。
【０００６】
このような構成において、その動作例を説明する。
図１９に示すように、蓋２０１が本体２００に閉じられているときは、捩りコイルばね２２１の一端部２２１ｂが蓋２０１を図示矢印ｃ方向に付勢するが、開閉装置２１０により蓋２０１と本体２００が係止されているので、蓋２０１は開放されることはない。
この状態から、開閉装置２１０により蓋２０１と本体２００の係止状態が解除されると、図２０に示すように、捩りコイルばね２２１の一端部２２１ｂがその復元力により蓋２０１を図示矢印ｃ方向に押し上げるので、ヒンジ２２２の取付部２２２ｂが図示矢印ｄ方向に回転し、それに伴って蓋２０１が本体２００から図示矢印ｂ方向に開けられて開放される。
【０００７】
【発明が解決しようとする課題】
上述したプレイヤの蓋２０１は、本体２００に対してディスクＤを着脱するときに開閉されるが、その開放角度は通常は６０°〜６５°に設定されている。そして、この開放角度は、例えばプレイヤを水平位置から少し手前に傾けた状態のときでも、ディスクＤの着脱を容易にするために一定である必要がある。
ところが、従来の開放装置２２０の捩りコイルばね２２１は、上述したようにばね部２２１ａの捩り軸Ｔがヒンジ２２２の取付部２２２ｂの回転軸Ｒと一致するように配置されているので、蓋２０１を常に一方向ｃのみに付勢して開放していることになる。従って、捩りコイルばね２２１の付勢力は、その付勢方向ｃの蓋２０１の自重の分力よりも、プレイヤを水平位置に保持した状態では優っていたものが、例えばプレイヤを水平位置から少し手前に傾けた状態では劣ってしまい、上記開放角度を維持することができなくなるという問題があった。
この問題を解消するには、捩りコイルばね２２１の弾性を高めればよいが、蓋２０１が反ってしまうという新たな問題が生じる。
【０００８】
本発明は、上述した事情から成されたものであり、開放角度を常に一定に維持することができる開放装置及びその開放装置を備えた電子機器を提供することを目的とする。
【０００９】
【課題を解決するための手段】
上記目的は、本発明にあっては、本体に対し開閉可能な蓋に設けられると共に本体に回転可能に取り付けられる回転部と、巻線部とその巻線部の接線方向に延びる２つの導線からなり、回転部を介して蓋を開け放つ方向に付勢する捩り弾性部材と、を備え、捩り弾性部材の巻線部は、その巻線部の中心軸が回転部の回転軸と一致しないように回転部から所定の間隔をあけて本体に固定されると共に、捩り弾性部材の２つの導線のうち一方の導線が本体に係止され、２つの導線のうち他方の導線は、回転部に摺動可能に係合されると共に、蓋を閉じた状態と開けた状態で回転部に設けられた係止部に係止され、蓋の開閉動作の途中まで回転部の係止部に対して離れる方向に摺動し、蓋の開閉動作の途中から係止部に近づく方向に摺動することを特徴とする開放装置により達成される。
【００１０】
また、上記目的は、本発明にあっては、本体と、本体に対して開閉可能な蓋と、蓋を開け放つ開放装置とを備えた電子機器において、開放装置は、蓋に設けられると共に本体に回転可能に取り付けられる回転部と、巻線部とその巻線部の接線方向に延びる２つの導線からなり、蓋を開け放つ方向に付勢する捩り弾性部材と、を有し、捩り弾性部材の巻線部は、その巻線部の中心軸が回転部の回転軸と一致しないように回転部から所定の間隔をあけて本体に固定されると共に、捩り弾性部材の前記２つの導線のうち一方の導線が前記本体に係止され、２つの導線のうち他方の導線は、回転部に摺動可能に係合されると共に、蓋を閉じた状態と開けた状態で回転部に設けられた係止部に係止され、蓋の開閉動作の途中まで回転部の係止部に対して離れる方向に摺動し、蓋の開閉動作の途中から係止部に近づく方向に摺動することを特徴とする電子機器により達成される。
【００１１】
上記構成によれば、捩り弾性部材が、捩り弾性部材の捩り軸が回転部の回転軸と一致しないように配置されているため、蓋の開放角度が大きくなるに従って、捩り弾性部材の回転部に対する付勢力の方向を変化させることができる。このため、捩りコイルばねの回転部に対する付勢力を、その付勢方向の蓋の自重の分力よりも常に優らせておくことができ、蓋の開放角度を最大限に常に維持することができる。
【００１２】
【発明の実施の形態】
以下、本発明の好適な実施形態を添付図面に基づいて詳細に説明する。
なお、以下に述べる実施形態は、本発明の好適な具体例であるから、技術的に好ましい種々の限定が付されているが、本発明の範囲は、以下の説明において、特に本発明を限定する旨の記載がない限り、これらの形態に限られるものではない。
【００１３】
図１〜図４は、本発明の開放装置が備えられた電子機器の実施形態を示す斜視図であり、図５〜図８はその透視平面図及び３方向から見た透視側面図である。
この電子機器１は、携帯型であって、しかもディスク状の情報記録媒体を再生できる、いわゆるポータブル型ディスクプレイヤの一例であり、本体（キャビネットともいう）２と、蓋（上蓋ともいう）３を有している。
【００１４】
本体２は、チャッキング部４、光学ピックアップ５等を備えている。このチャッキング部４は、ディスク状の情報記録媒体（以下、ディスクという）Ｄを着脱可能に保持できるようになっている。この光学ピックアップ５は、モータの作動によりディスクＤの半径方向にスライドする。
本体２の側面には、電源スイッチ６、イヤホンジャック用の穴７、商用交流電源に接続するためのコンバータの接続穴８等が形成されている。
【００１５】
本体２の後部には、電池収納手段２０が設けられている。この電池収納手段２０は、例えば２本の単３型の１次電池あるいは２次電池Ｂ，Ｂを直列配置で電気的に直列接続して収容することができる。この電池収納手段２０における複数の電池Ｂ，Ｂの配列方向Ｓは、好ましくは蓋３の回転中心軸ＣＬと一致しているかほぼ一致している。
蓋３の上には、各種の情報を表示する表示部６０と各種のボタン操作部６２が設けられている。この表示部６０は、たとえば液晶表示パネルを採用することができ、ディスクＤの再生情報に関する各種のデータを表示することができる。
【００１６】
蓋３は本体２の前部に設けられている開閉装置１００及び本体２の後部に設けられている開放装置１１０により本体２に対して開閉でき、この蓋３を本体２から開けることにより、本体２内にディスクＤを着脱できるようになっている。
即ち、開閉装置１００を構成するスライド操作部１０１を図１に示す矢印Ｐ方向に操作することにより、蓋３に設けられている止め部３０との係止状態を開放させ、開放装置１１０を構成する捩りコイルばね１１１の復元力でヒンジ１１２を介して蓋３を本体２から図３に示す矢印Ｒ方向に開けることができる。そして、本体２の外面部２ｃは円弧状になっており、しかも蓋３の後端部３ａも湾曲している。そして、蓋３の回転中心軸ＣＬは、電池収納手段２０に収容された電池Ｂ，Ｂの配列方向Ｓとほぼ一致している。これにより、蓋３を矢印Ｒ方向に開けると、後端部３ａは外面部２ｃにほぼ沿ってスムーズに移動していく。
【００１７】
本体２と蓋３は、金属あるいはプラスチックにより作ることができる。採用できる金属としては、たとえばアルミニウムやマグネシウム合金等を採用でき、プラスチックを用いる場合にはエンジニアリングプラスチック（たとえばカーボンファイバー強化ナイロン、ガラス繊維強化ＡＢＳ等）や、汎用のプラスチック（ＡＢＳ、ポリカーボネート等）を用いることができる。いずれにしても汎用プラスチックを用いるのに比べれば、金属あるいはエンジニアリングプラスチックを用いた方がさらに電子機器の厚みを薄くすることができる。
【００１８】
本体２に対して着脱可能に装着されるディスクＤは、たとえば光ディスクの内の一例としてＣＤである。このディスクＤの直径は、たとえば１２ｃｍであり、このディスクＤは保護層、アルミ反射層及びプラスチック基板の３層構造のものである。このプラスチック基板には微小なピットが形成されており、このピット部分にはアルミ反射層が配置され、このアルミ反射層は保護層により保護されている。ピットは、デジタル化された音楽等の情報を記録している。すなわち、音楽等の情報は、時系列的に分割して、それぞれの強さを「０」、「１」の二進法の信号（デジタル信号）に変換して記録されている。ディスクＤのピットは、この信号の内容に応じた大きさで並んでいる。このピットに対して、たとえば光学ピックアップ５からレーザ光をディスクＤの信号記録面であるアルミ反射層側に透明なプラスチック基板を通して照射し、その戻り光を受光することで電気信号に変換して音に変えることができる。
【００１９】
図９は、図５におけるＦ−Ｆ線断面図であり、電子機器１の内部構造例を示している。
本体２の中には、ディスクＤを連続回転するための駆動手段４０、チャッキング部４、２本の電池Ｂ，Ｂ、回路用の基板４２等を収容している。蓋３は、駆動手段４０、チャッキング部４、光学ピックアップ５、ディスクＤを保護する。
駆動手段４０は、本体２に対して図示しない固定部により固定されている。チャッキング部４は、駆動手段４０の中に内蔵されたモータＭＴによりディスクＤを連続回転することができる。駆動手段４０の中には光学ピックアップ５を収容することができる。つまり、駆動手段４０は、ディスクＤを連続回転しながら、ディスクＤの情報を光学的に読み取る機能を有している。２本の電池Ｂ，Ｂは駆動手段４０のモータＭＴや光学ピックアップ５に電源供給を行う。基板４２は、本体２内の収容スペースに配置され、駆動手段４０と電池収納手段２０の間の部分において、本体２の底面２ａに平行に配置されている。
【００２０】
電池収納手段２０は、本体２の底面２ａの端部２ｂと、ほぼ円形状の外面部２ｃ及び水平板２ｄ等を有している。水平板２ｄは、ディスクＤと基板４２の間を遮蔽する機能も有している。２本の電池Ｂ，Ｂは、この外面部２ｃ、底面２ａの端部２ｂにより外れないように保持できる。電池収納手段２０は、図１０に示すように、本体２の底面２ｆ側に開閉蓋７０を備えている。この開閉蓋７０は、中心軸７２を中心として、Ｇ方向に開けることができる。そして、図１１に示すように、電池収納手段２０の内部には、２本の電池Ｂ，Ｂを直列に収容することができる。一方の電池Ｂの一方のプラス端子８０は、第１接触部９０に対して弾性力を用いて電気的に積極的に押し付けて接触できるようになっている。一方、第２接触部９５は、コイルばねあるいは螺旋状のばねであり、もう一方の電池Ｂのマイナス極（他方の端部）８１に対して弾性力を用いて電気的に積極的に押して接触されている。
【００２１】
図１２は、開放装置１１０の詳細例を示す側面図である。
この開放装置１１０は、捩りコイルばね（捩り弾性部材）１１１及びヒンジ（回転部）１１２で構成されている。
捩りコイルばね１１１は、巻線で成るばね部１１１ａとこのばね部１１１ａの接線両方向に延びる２つの端部１１１ｂ，１１１ｃで構成されている。ヒンジ１１２は、略長方形板状に形成されており、一端には蓋３に固定される固定部１１２ａが設けられ、他端には本体２に回転可能に取り付けられる取付部１１２ｂと捩りコイルばね１１１の一端部１１１ｂが係止される係止部１１２ｃが設けられた構成となっている。
捩りコイルばね１１１は、ばね部１１１ａの捩り軸Ｔがヒンジ１１２の取付部１１２ｂの回転軸Ｒと一致しないように、この例では平行になるように、かつ２つの端部１１１ｂ，１１１ｃがばね部１１１ａの上部で略水平となるようにして、ばね部１１１ａが本体２の一端の角部内部に固定され、一端部１１１ｂがヒンジ１１２の係止部１１２ｃに係止され、他端部１１１ｃが本体２の内部に係止されている。
【００２２】
このような構成において、その動作例を図１２〜図１４を参照して説明する。
図１２に示すように、蓋３が本体２に閉じられているときは、捩りコイルばね１１１の一端部１１１ｂが蓋３を図示矢印ａ方向に付勢するが、開閉装置１００により蓋３と本体２が係止されているので、蓋３は開放されることはない。
この状態から、開閉装置１００により蓋３と本体２の係止状態が解除されると、捩りコイルばね１１１の一端部１１１ｂがその復元力により蓋３を図示矢印ａ方向に押し上げるので、ヒンジ１１２の取付部１１２ｂが図示矢印ｂ方向に回転し、それに伴って蓋３が本体２から図示矢印Ｒ方向に開けられる。
このとき、捩りコイルばね１１１の一端部１１１ｂは、円弧状に移動するので、捩りコイルばね１１１の一端部１１１ｂの先端とばね部１１１ａの捩り軸Ｔとの距離は、図１２に示すときはＬ１であったものが、図１３に示すときはＬ２と長くなり、また捩りコイルばね１１１の一端部１１１ｂの先端は、ヒンジ１１２の係止部１１２ｃに対し、図示矢印ｓ方向に摺動する。
【００２３】
そして、この状態から、更に捩りコイルばね１１１の一端部１１１ｂがその復元力により蓋３を押し上げて図１４に示すように完全に開放するのであるが、このとき、更に捩りコイルばね１１１の一端部１１１ｂは、円弧状に移動するので、捩りコイルばね１１１の一端部１１１ｂの先端とばね部１１１ａの捩り軸Ｔとの距離は、図１３に示すときはＬ２であったものが、図１４に示すときはＬ３と最大長になり、また捩りコイルばね１１１の一端部１１１ｂの先端は、ヒンジ１１２の係止部１１２ｃに対し、先の摺動方向ｓとは逆の図示矢印ｔ方向に摺動する。
従って、捩りコイルばね１１１の一端部１１１ｂがその復元力により蓋３を押し上げる方向は、図１２から図１３に至る間と、図１３から図１４に至る間とでは異なる方向になるので、捩りコイルばね１１１のヒンジ１１２に対する付勢力を、その付勢方向の蓋３の自重の分力よりも常に優らせておくことができ、蓋３の開放角度を最大限、例えば６０°〜６５°に常に維持することができる。
【００２４】
以上のような構成の開放装置１１０によれば、捩りコイルばね１１１は、上述したようにばね部１１１ａの捩り軸Ｔがヒンジ１１２の取付部１１２ｂの回転軸Ｒと一致しないように配置されているので、蓋３の押し上げ方向をその開放状態により変化させることができる。従って、プレイヤを水平位置に保持した状態はもちろん、例えばプレイヤを水平位置から少し手前に傾けた状態であっても、捩りコイルばね１１１の付勢力を、その付勢方向の蓋３の自重の分力よりも優らせておくことができ、蓋３の開放角度を６０°〜６５°に維持することができる。さらに、捩りコイルばね１１１の弾性を高める必要がないので、蓋３が反ってしまうようなことも無くすことができる。
【００２５】
尚、上述した実施形態においては、ディスクＤとして、コンパクトディスクについて説明しているが、これに限らず、高密度記録媒体、たとえば貼り合わせ型の高密度記録媒体たとえばデジタルバーサタイルディスクともデジタルビデオディスクとも呼ばれている高密度記録用のディスクや、あるいは光磁気ディスクやハードディスクのような情報記録媒体の情報を再生したり、これらの情報記録媒体に情報を記録する電子機器にも適用できるものである。
【００２６】
【発明の効果】
以上のように、本発明によれば、開放角度を常に一定に維持することができる。
【図面の簡単な説明】
【図１】本発明の開閉装置が備えられた電子機器の実施形態を示す第１の斜視図。
【図２】本発明の開閉装置が備えられた電子機器の実施形態を示す第２の斜視図。
【図３】図１の電子機器の蓋を開けた状態を示す第１の斜視図。
【図４】図１の電子機器の蓋を開けた状態を示す第２の斜視図。
【図５】図１の電子機器の内部構造及び電池の配列等を示す平面図。
【図６】図１の電子機器の正面図。
【図７】図１の電子機器の背面図。
【図８】図１の電子機器の側面図。
【図９】図５におけるＦ−Ｆ線における断面図。
【図１０】図１の電子機器の本体の裏側を見た斜視図。
【図１１】図１の電子機器の電池収納手段の蓋を開けた状態を示す斜視図。
【図１２】図１の電子機器の開放装置の詳細例を示す平面図。
【図１３】図１２の開放装置の動作例を示す第１の平面図。
【図１４】図１２の開放装置の動作例を示す第２の平面図。
【図１５】従来の開閉装置が備えられた電子機器の一例を示す斜視図。
【図１６】図１５の電子機器の蓋を開けた状態を示す斜視図。
【図１７】図１５の電子機器の内部構造及び電池の配列等を示す平面図。
【図１８】図１７におけるＪ−Ｊ線における断面図。
【図１９】図１９の電子機器の開放装置の詳細例を示す平面図。
【図２０】図１９の電子機器の開放装置の動作例を示す平面図。
【符号の説明】
１・・・電子機器、１１０・・・開放装置、１１１・・・捩りコイルばね、１１２・・・ヒンジ
【図１】
0003982034.tif 000002
【図２】
0003982034.tif 000003
【図３】
0003982034.tif 000004
【図４】
0003982034.tif 000005
【図５】
0003982034.tif 000006
【図６】
0003982034.tif 000007
【図７】
0003982034.tif 000008
【図８】
0003982034.tif 000009
【図９】
0003982034.tif 000010
【図１０】
0003982034.tif 000011
【図１１】
0003982034.tif 000012
【図１２】
0003982034.tif 000013
【図１３】
0003982034.tif 000014
【図１４】
0003982034.tif 000015
【図１５】
0003982034.tif 000016
【図１６】
0003982034.tif 000017
【図１７】
0003982034.tif 000018
【図１８】
0003982034.tif 000019
【図１９】
0003982034.tif 000020
【図２０】
0003982034.tif 000021